【事件の表示】
　平成　８年特許願第１２３４０４号「半導体装置」拒絶査定不服審判事件〔平成　９年１１月２８日出願公開、特開平　９−３０５２５２〕について、次のとおり審決する。
【結　論】
　本件審判の請求は、成り立たない。
【理　由】
１．手続の経緯・本願発明
　本願は平成８年５月１７日の出願であって、平成１７年１０月３１日付けで拒絶査定がなされ、これに対して平成１７年１２月８日に拒絶査定に対する審判が請求されたものである。
　本願の請求項１に係る発明は、平成１５年４月２５日付け及び平成１６年１２月２０日付け手続補正書により補正された明細書及び図面の記載からみて、特許請求の範囲の請求項１に記載された事項により特定される次のとおりのもの（以下「本願発明」という。）である。
「クロック信号の切り換えを規定する値が設定されるクロック切換レジスタと、
　外部との接続を有さず装置に内蔵された、所定の周波数のクロック信号を発振する発振回路と、
　外部に接続される抵抗と共動してクロック信号を発生するＣＲ発振回路と、
　外部に接続される振動子と共動してクロック信号を発生する振動子発振回路と、
　前記ＣＲ発振回路および前記振動子発振回路の外部との接続に応じて、前記ＣＲ発振回路と前記振動子発振回路とのうちのいずれかを選択するための値が設定されるクロック選択レジスタと、
　前記クロック選択レジスタの設定値に応じて、前記ＣＲ発振回路または前記振動子発振回路を選択するスイッチ回路と、
　前記クロック切換レジスタの設定値に応じて、前記ＣＲ発振回路または前記振動子発振回路からのクロック信号と前記発振回路からのクロック信号とのうちのいずれかを選択するクロック切換回路と、
　少なくとも前記クロック切換回路が前記ＣＲ発振回路または前記振動子発振回路からのクロック信号を選択しているときに前記発振回路の発振を停止する発振停止回路とを備えた半導体装置。」
　
２．引用刊行物
　これに対して原査定の拒絶の理由に引用された、本願の出願日前に頒布された刊行物「特開平６−２６０８３６号公報」（以下、「引用刊行物１」という。）には図面とともに以下の記載がある。
「【特許請求の範囲】
【請求項１】  クロックパルスを生成する複数の発振回路を備え、非発振状態が解除されたときに所定の発振回路が出力するクロックパルスを外部へ出力するようにハードウェアで構成してある発振装置において、
前記所定の発振回路以外の発振回路に設けられ、所要部品を外付けすることで完成する複数種類のクロックパルス生成回路を備えることを特徴とする発振装置。
【発明の詳細な説明】
【０００１】
【産業上の利用分野】本発明は複数の発振回路を有する発振装置に関する。
【０００２】
【従来の技術】図４はマイクロコンピュータに設けられた従来の発振装置を示すブロック図である。」（第２頁左欄第１〜１５行）
　
「【０００７】
【実施例】以下本発明をその実施例を示す図面に基づいて具体的に説明する。図１は本発明の発振装置を示す回路図である。この発振装置はマイクロコンピュータの一部を構成し、２つの発振回路１，２を備え、発振回路１，２が各出力するクロックパルスは選択的にスイッチ６のコモン端子62から出力されるようになっている。そしてリセット解除時には発振回路２のクロックパルスが出力されるようにスイッチ６がハードウェア的に固定されている。発振回路１，２は夫々外付け回路用端子30,31 、40,41 を備え、端子31、41はスイッチ６の切換側端子60,61 の夫々に接続されている。
【０００８】本発明に係る発振回路１は２種類のクロック生成回路、即ちCR発振回路及び振動子発振回路を備えているが、これらの回路は端子30,31 に外付け部品を接続することで完成される。以下その構成について説明する。
【０００９】NANDゲート11の出力端子は、反転回路12,13,14を介してキャパシタ15の一端に接続され、キャパシタ15の他端はNANDゲート11の一方の入力端子に接続されており、これらのNANDゲート11、反転回路12,13,14及びキャパシタ15はCR発振回路を構成する。NANDゲート11の前記一方の入力端子は前記CR発振回路の発振／非発振を制御するスイッチ70を介して電源電圧ＶCCに接続される。非発振状態のときにスイッチ70はＶCCを前記NANDゲート11に供給するようにオンとなる。一方、NANDゲート11の他方の入力端子には発振動作を停止せしめる信号 (“１”アクティブ)63 が与えられる。
【００１０】NANDゲート16は振動子発振回路を構成する素子であり、その一方の入力端子は前記振動子発振回路の発振／非発振を制御するスイッチ71を介して電源電圧ＶCCに接続される。非発振状態のときにスイッチ71はＶCCを前記NANDゲート16に供給するようにオンとなる。一方NANDゲート16の他方の入力端子には前記信号63が与えられる。外付け回路用端子30,31 はソフトウェアで切換操作されるスイッチ20,21 のコモン端子200,210 の夫々に接続されている。
【００１１】これらのスイッチ20,21 の一方の切換側端子201,211 はCR発振回路の外付け抵抗を接続すべきNANDゲート11の前記一方の端子及び反転回路13の出力端子に各接続されている。スイッチ20,21 の他方の切換側端子202,212 は振動子発振回路の外付け部品を接続すべきNANDゲート16の前記一方の入力端子及び出力端子に接続されている。これらスイッチ20,21,70,71 はソフトウェアより生成される信号Ｑ, Ｑバーによって操作される。振動子発振回路用の外付け部品は図２に示すように振動子33及びこれと並列の抵抗32と、これらの並列回路の両端と接地電位との間に介装したキャパシタ34,35 とからなる。なお、スイッチ70,71 、20,21 は公知のトランジスタによるスイッチで構成すればよい。
【００１２】而して発振回路１を振動子発振回路として使用したい場合は端子30,31 間に図２に示す回路を接続しておく。リセット状態が解除されるとスイッチ６の働きによりまず発振回路２のクロックが出力されることになるが、これによって実行されるソフトウェアで図示しないレジスタに“１”を書込む。このレジスタの内容によりスイッチ20,21 には信号Ｑが与えられて図示のように切換側端子202,212側とし、またスイッチ71へは信号Ｑバーを与えてこれをオフとしておく。
【００１３】これにより外付け部品とNANDゲート16とによるクロック生成回路（振動子発振回路）が動作することになる。一方スイッチ70へは信号Ｑを与えてオンとし、NANDゲート11に“Ｈ”レベル信号を与えて非発振としておく。逆にCR発振回路を用いたい場合は端子30,31 に所要の値の抵抗を接続し、各スイッチ70,71 、20,21を上述したところと反対に切換えるべく前記レジスタにソフトウェアで“０”を書込めばよい。」（第２頁右欄第１２行〜第３頁左欄第２８行）
　
　これら引用刊行物１の記載から、引用刊行物１には以下の発明（以下、「引用発明」という。）が記載されているものと認められる。
「マイクロコンピュータの一部を構成する、発振回路１及び発振回路２を備えたクロックパルスを発生する発振装置であって、
　発振回路１及び発振回路２はそれぞれ切替スイッチ６に接続されて何れかの発振回路の出力（クロックパルス）がスイッチ６のコモン端子６２から出力され、
　発振回路１は、ＣＲ発振回路と振動子発振回路とを備え、
　前記ＣＲ発振回路は端子３０、３１に外付け抵抗を接続することで完成され、
　前記振動子発振回路は前記端子３０、３１に振動子、抵抗及びキャパシタンスを接続することにより完成され、
　前記ＣＲ発振回路、振動子発振回路それぞれには、前記ＣＲ発振回路、あるいは振動子発振回路に前記外付け抵抗あるいは、振動子、抵抗及びキャパシタンスを接続して何れかの発振回路の信号を出力するスイッチ２０、２１と、前記ＣＲ発振回路、あるいは振動子発振回路の何れかを非発振とするスイッチ７０、７１とが接続され、
　レジスタの値（０、１）により、前記スイッチ２０、２１の接続、前記スイッチ７０、７１のオン、オフ、が決定されてＣＲ発振回路と振動子発振回路の何れかが用いられ、
　発振回路２は外付け回路用端子４０、４１を備え、
　発振回路１及び発振回路２はそれぞれ切替スイッチ６に接続され、
　スイッチ６によりまず発振回路２の出力（クロックパルス）が出力され、
　その後、振動子発振回路が動作し、このときＣＲ発振回路の発振は停止する、
　発振装置。」
　
　同じく、原査定の拒絶の理由に引用された、本願の出願日前に頒布された刊行物「特開平６−２３１２８０号公報」（以下、「引用刊行物２」という。）には図面とともに以下の記載がある。
「【０００１】
【産業上の利用分野】本発明はマイクロコンピュータのクロック制御回路に関し、特に複数の発振器を持つマイクロコンピュータのクロック制御回路に関する。」（第２頁左欄第１４〜１７行）
　
「【００１４】
【実施例】図１は本発明の第１実施例を示すブロック図である。マイクロコンピュータ１はプログラムに従って所定の処理を行い、第１の発振器選択信号５又は第２の発振器選択信号６を発生させ切換えを行う。第１の発振器動作開始信号７及び第２の発振器動作開始信号８により第１の発振器及び第２の発振器を起動させる。
【００１５】遅延回路２はコンデンサ１２と抵抗器１５によって構成され、インバータ２２の出力を遅延させてインバータ２２の入力に帰還させる。スイッチ４０はインバータ２０に共振素子１０，抵抗器１３からなる帰還をかけるか否かを設定し、第１の発振器を構成し、スイッチ４２はインバータ２１に共振素子１１，抵抗器１４からなる帰還をかけるか否かを設定し、第２の発振器を構成し、スイッチ４４はインバータ２２に遅延回路２からなる帰還をかけるか否かを設定し、起動用発振器を構成する。」（第３頁左欄第８〜２４行）
　
「【００１７】次に図１のタイミング図である図２を参照し動作を説明る。リセット信号４によりＲＳラッチ３１，３２の出力５１，５２、ＲＳラッチ３６，３７の出力５３，５４がリセットされスイッチ４０〜４３が開く。一方、ＲＳラッチ３０の出力５０はセットされるので、スイッチ４４，４５を閉じて、起動用発振器は発振を開始する。この時スイッチ４０，４２は開いているため第１の発振器及び第２の発振器は停止している。」（第３頁左欄第３３〜４０行）
　
「【００２０】マイクロコンピュータ１から第１の発振器動作開始信号７が発生すると、ＲＳラッチ３７の出力５４がセットされ、スイッチ４０が閉じて第１の発振回路が動作を開始する。第１の発振器によるクロック信号７１は発振が次第に大きくなり最大振幅となって安定する。
【００２１】第１の発振器選択信号５が発生すると、オア回路３３を通してＲＳラッチ３０の出力５０がリセットされ、スイッチ４４，４５が開き遅延回路２からなる帰還回路の発振は停止すると共に、ＲＳラッチ３２の出力５２がセットされスイッチ４１を閉じる。クロック信号３はスイッチ４１によって共振素子１０及び抵抗器１３からなる帰還回路からのクロック信号７１切替っておりマイクロコンピュータ１はプログラムに従って所定の処理を続けて実行される。」（第３頁右欄第２〜１６行）
　
３．対比
　本願発明と引用発明を対比すると、
　引用発明の「マイクロコンピュータ」、「ＣＲ発振回路」、「振動子発振回路」、及び「クロックパルス」は、それぞれ、本願発明の「半導体装置」、「ＣＲ発振回路」、「振動子発振回路」、及び「クロック信号」に相当する。
　また、引用発明の「発振回路２」はマイクロコンピュータの一部を構成してクロック信号を発振しているから、本願発明の、半導体装置に内蔵された、所定の周波数のクロック信号を発振する「発振回路」に相当する。
　また、引用発明のＣＲ発振回路、振動子発振回路それぞれには、何れの発振回路を使用するかに応じて、前記ＣＲ発振回路、あるいは振動子発振回路に前記外付け抵抗あるいは、振動子、抵抗及びキャパシタンスを接続して何れかの発振回路の信号を出力するスイッチ２０、２１とが接続されており、レジスタの値により、前記スイッチ２０、２１の接続が決定されてＣＲ発振回路と振動子発振回路の何れかが使用されるから、引用発明の「レジスタ」は、本願発明の、ＣＲ発振回路および振動子発振回路の外部との接続に応じて、前記ＣＲ発振回路と前記振動子発振回路とのうちのいずれかを選択するための値が設定される「クロック選択レジスタ」に相当する。
　また、引用発明のＣＲ発振回路と振動子発振回路を備える発振回路１、及び発振回路（発振回路２）はそれぞれ切替スイッチ６に接続されて何れかの発振回路の出力（クロックパルス）が出力されるから、引用発明の「切替スイッチ６」は、本願発明のＣＲ発振回路または前記振動子発振回路からのクロック信号と前記発振回路からのクロック信号とのうちのいずれかを選択する「クロック切換回路」に相当する。
　
したがって、両者は
「装置に内蔵された、所定の周波数のクロック信号を発振する発振回路と、
　外部に接続される抵抗と共動してクロック信号を発生するＣＲ発振回路と、
　外部に接続される振動子と共動してクロック信号を発生する振動子発振回路と、
　前記ＣＲ発振回路および前記振動子発振回路の外部との接続に応じて、前記ＣＲ発振回路と前記振動子発振回路とのうちのいずれかを選択するための値が設定されるクロック選択レジスタと、
　前記クロック選択レジスタの設定値に応じて、前記ＣＲ発振回路または前記振動子発振回路を選択するスイッチ回路と、
　前記ＣＲ発振回路または前記振動子発振回路からのクロック信号と前記発振回路からのクロック信号とのうちのいずれかを選択するクロック切換回路と、
　を備えた半導体装置。」の点で一致し、以下の点で相違する。
　
相違点１
　本願発明は、クロック信号の切り換えを規定する値が設定されるクロック切換レジスタを有し、クロック切換レジスタの設定値に応じて、クロック切換回路を制御しているのに対し、引用発明もクロック切換回路を有しているが、クロック切換レジスタについて記載がない点。
　
相違点２
　本願発明の発振回路は、外部との接続を有していないのに対し、引用発明の発振回路は外付け回路用端子を有している点。
　
相違点３
　本願発明は、少なくとも前記クロック切換回路が前記ＣＲ発振回路または前記振動子発振回路からのクロック信号を選択しているときに前記発振回路の発振を停止する発振停止回路を備えているのに対し、引用発明は発振回路、ＣＲ発振回路、振動子発振回路のうち、ＣＲ発振回路、振動子発振回路それぞれの発振を停止するスイッチ７０、７１を有しているが、発振回路の発振を停止することについて記載がない点。
　
４．当審の判断
　以下、上記相違点について検討する。
相違点１について
　引用発明でもレジスタの値（０、１）によりスイッチ回路（スイッチ２０，２１）の接続を制御しているように、レジスタの値によりスイッチ回路を制御することは周知であるから、引用発明のクロック切換回路にも周知技術を適用して、クロック信号の切り換えを規定する値が設定されるクロック切換レジスタを設け、クロック切換レジスタの設定値に応じて、クロック切換回路を制御するように構成することは当業者が適宜になし得ることである。
　
相違点２について
　発振回路をどのような構成とするかは設計的事項であって外部との接続を有さない構造とすることも周知であるから、引用発明の発振回路を外部との接続を有さない構造とすることは当業者が適宜になし得ることである。
　
相違点３について
　引用発明にもＣＲ発振回路、あるいは振動子発振回路の何れかの発振を停止することが記載されているように必要としない発振回路の発振を停止させることは当然のことであること、引用刊行物２にも起動用発振器について、起動用発振器が動作してマイクロコンピュータ起動した後に第１の発振器が起動してその動作が安定すると起動用発振器の動作を停止することが記載されているから、引用発明において、クロック切換回路がＣＲ発振回路または振動子発振回路からのクロック信号を選択しているときに発振回路の発振を停止させるために発振停止回路を備えることは当業者が容易に想到し得ることである。
　
　そして、本願発明のように構成したことによる効果も引用発明、引用刊行物２に記載の技術及び周知技術から予想できる程度のものであって、格別のものではない。
　
　したがって、本願発明（請求項１に係る発明）は、引用発明、引用刊行物２に記載の技術及び周知技術に基づいて当業者が容易に発明をすることができたものである。
　
５．むすび
　以上のとおり、本願発明（請求項１に係る発明）は、引用発明、引用刊行物２に記載の技術及び周知技術に基づいて当業者が容易に発明をすることができたものであるので、特許法第２９条第２項の規定により特許を受けることができない。
　したがって、本願は、その余の請求項について論及するまでもなく、拒絶すべきものである。
　
　よって、結論のとおり審決する。